(57)【特許請求の範囲】
【請求項１】
復元されるべき信号に対するフィルタ選定基準を決定するための手段、なお、決定するための該手段は、パイロット・シンボル、データ・シンボル、或いはこれ等の組合せがチャネル推定値を得るために使用されるかどうか、該信号に対するトラヒック対パイロット比、復元されるべき複数の信号の中で該信号が復元される順番、該信号の信号対雑音比（ＳＮＲ）、或いはこれ等の組合せ、に基づいて該フィルタ選定基準を決定するように構成される、
該フィルタ選定基準に基づいてチャネル推定フィルタを選択するための手段、なお、選択するための該手段は、該フィルタ選定基準がＳＮＲの第１範囲内の第１ＳＮＲを指示する場合、第１チャネル推定フィルタを選択し、該フィルタ選定基準がＳＮＲの第２範囲内の第２ＳＮＲを指示する場合、第２チャネル推定フィルタを選択するように構成されている、
第１フィルタ応答を有する該第１チャネル推定フィルタを用いて第１チャネル推定値を得るための手段、
該第１チャネル推定値を用いて第１信号を復元するための手段、
該第１信号に対するデータ・シンボルを再生成するための手段、
該第１信号起因の干渉を推定するための手段、
該第１信号起因の該干渉を除去するための手段、
該第１フィルタ応答とは異なる第２フィルタ応答を有する該第２チャネル推定フィルタを用いておよび該再生成されたデータ・シンボルを用いて第２チャネル推定値を得るための手段、
該第１チャネル推定値および該第２チャネル推定値を用いて第３チャネル推定値を求める手段と、及び
該第３チャネル推定値を用いて第２信号を復元するための手段、
を具備する装置。
【請求項２】
選択するための該手段は、異なる長さを有する複数のチャネル推定フィルタ、あるいは異なるフィルタ応答を有する複数のチャネル推定フィルタの中から少なくとも１つの該チャネル推定フィルタを選択するように構成されている、請求項１の装置。
【請求項３】
該フィルタ選定基準は、利用されるパケット・フォーマットに対応する、請求項１に記載の装置。
【請求項４】
該第１信号と該第２信号とは、２つの端末からのものである、請求項１の装置。
【請求項５】
該第１信号と該第２信号とは、多元入力・多元出力（ＭＩＭＯ）伝送に対するものである、請求項１の装置。
【請求項６】
移動体通信デバイスにおいて、復元されるべき信号に対するフィルタ選定基準を決定すること、なお、該フィルタ選定基準は、パイロット・シンボル、データ・シンボル、或いはこれ等の組合せがチャネル推定値を得るために使用されるかどうか、該信号に対するトラヒック対パイロット比、復元されるべき複数の信号の中で該信号が復元される順番、該信号の信号対雑音比（ＳＮＲ）、或いはこれ等の組合せ、に基づいて決定される、
該移動体通信デバイスにおいて、該フィルタ選定基準に基づいてチャネル推定フィルタを選択すること、なお、該選択することは、該フィルタ選定基準がＳＮＲの第１範囲内の第１ＳＮＲを指示する場合、第１チャネル推定フィルタを選択し、該フィルタ選定基準がＳＮＲの第２範囲内の第２ＳＮＲを指示する場合、第２チャネル推定フィルタを選択するために実行される、
該移動体通信デバイスにおいて、第１フィルタ応答を有する該第１チャネル推定フィルタを用いて第１チャネル推定値を得ること、
該移動体通信デバイスにおいて、該第１チャネル推定値を用いて第１信号を復元すること、
該移動体通信デバイスにおいて、該第１信号に対するデータ・シンボルを再生成すること、
該移動体通信デバイスにおいて、該第１信号起因の干渉を推定すること、
該移動体通信デバイスにおいて、該第１信号起因の該干渉を除去すること、
該移動体通信デバイスにおいて、該第１フィルタ応答とは異なる第２フィルタ応答を有する該第２チャネル推定フィルタを用いておよび該再生成されたデータ・シンボルを用いて第２チャネル推定値を得ること、 該移動体通信デバイスにおいて、該第１チャネル推定値および該第２チャネル推定値を用いて第３チャネル推定値を求めることと、及び
該移動体通信デバイスにおいて、該第３チャネル推定値を用いて第２信号を復元すること、
を具備する方法。
【請求項７】
該チャネル推定フィルタは、異なる長さを有する複数のチャネル推定フィルタ、あるいは異なるフィルタ応答を有する複数のチャネル推定フィルタの中から選択される、請求項６の方法。
【請求項８】
該フィルタ選定基準は、利用されるパケット・フォーマットに対応する、請求項６に記載の方法。
【請求項９】
該第１信号と該第２信号とは、２つの端末からのものである、請求項８の方法。
【請求項１０】
該第１信号と該第２信号とは、多元入力・多元出力（ＭＩＭＯ）伝送に対するものである、請求項８の方法。
【請求項１１】
プロセッサによって実行されるときに、前記プロセッサに、
復元されるべき信号に対するフィルタ選定基準を決定させる、なお、該フィルタ選定基準は、パイロット・シンボル、データ・シンボル、或いはこれ等の組合せがチャネル推定値を得るために使用されるかどうか、該信号に対するトラヒック対パイロット比、復元されるべき複数の信号の中で該信号が復元される順番、該信号の信号対雑音比（ＳＮＲ）、或いはこれ等の組合せ、に基づいて決定される、
該フィルタ選定基準に基づいてチャネル推定フィルタを選択させる、なお、該チャネル推定フィルタは、該フィルタ選定基準がＳＮＲの第１範囲内の第１ＳＮＲを指示する場合、第１チャネル推定フィルタを選択し、該フィルタ選定基準がＳＮＲの第２範囲内の第２ＳＮＲを指示する場合、第２チャネル推定フィルタを選択するために選択される、
第１フィルタ応答を有する該第１チャネル推定フィルタを用いて第１チャネル推定値を得させる、
該第１チャネル推定値を用いて第１信号を復元させる、
該第１信号に対するデータ・シンボルを再生成させる、
該第１信号起因の干渉を推定させる、
該第１信号起因の該干渉を除去させる、
該第１フィルタ応答とは異なる第２フィルタ応答を有する該第２チャネル推定フィルタを用いておよび該再生成されたデータ・シンボルを用いて第２チャネル推定値を得させる、
該第１チャネル推定値および該第２チャネル推定値を用いて第３チャネル推定値を求めさせる、及び
該第３チャネル推定値を用いて第２信号を復元させる、
プロセッサ実行可能命令を備える、
非一時的なコンピュータ可読記憶媒体。
【請求項１２】
該チャネル推定フィルタは、異なる長さを有する複数のチャネル推定フィルタ、あるいは異なるフィルタ応答を有する複数のチャネル推定フィルタの中から選択される、請求項１１の非一時的なコンピュータ可読記憶媒体。
【請求項１３】
該フィルタ選定基準は、利用されるパケット・フォーマットに対応する、請求項１１の非一時的なコンピュータ可読記憶媒体。
【請求項１４】
該第１信号と該第２信号とは、２つの端末からのものである、請求項１３の非一時的なコンピュータ可読記憶媒体。
【請求項１５】
該第１信号と該第２信号とは、多元入力・多元出力（ＭＩＭＯ）伝送に対するものである、請求項１３の非一時的なコンピュータ可読記憶媒体。
【請求項１６】
復元されるべき信号に対するフィルタ選定基準を決定し、なお、該フィルタ選定基準は、パイロット・シンボル、データ・シンボル、或いはこれ等の組合せがチャネル推定値を得るために使用されるかどうか、該信号に対するトラヒック対パイロット比、復元されるべき複数の信号の中で該信号が復元される順番、該信号の信号対雑音比（ＳＮＲ）、或いはこれ等の組合せ、に基づいて決定される、
該フィルタ選定基準に基づいてチャネル推定フィルタを選択し、なお、該チャネル推定フィルタは、該フィルタ選定基準がＳＮＲの第１範囲内の第１ＳＮＲを指示する場合、第１チャネル推定フィルタを選択し、該フィルタ選定基準がＳＮＲの第２範囲内の第２ＳＮＲを指示する場合、第２チャネル推定フィルタを選択するように選択される、
第１フィルタ応答を有する第１チャネル推定フィルタを用いて第１チャネル推定値を得て、
該第１チャネル推定値を用いて第１信号を復元し、
該第１信号に対するデータ・シンボルを再生成し、
該第１信号起因の干渉を推定し、
該第１信号起因の該干渉を除去し、
該第１フィルタ応答とは異なる第２フィルタ応答を有する第２チャネル推定フィルタを用いておよび該再生成されたデータ・シンボルを用いて第２チャネル推定値を得て、
該第１チャネル推定値および該第２チャネル推定値を用いて第３チャネル推定値を求める、及び
該第３チャネル推定値を用いて第２信号を復元する
ように動作可能である少なくとも１つのプロセッサと、
該少なくとも１つのプロセッサと通信するメモリと
を具備する装置。
【請求項１７】
該少なくとも１つのプロセッサは、異なる長さを有する複数のチャネル推定フィルタ、あるいは異なるフィルタ応答を有する複数のチャネル推定フィルタの中から該チャネル推定フィルタを選択するように更に動作可能である、請求項１６の装置。
【請求項１８】
該フィルタ選定基準は、利用されるパケット・フォーマットに対応する、請求項１６に記載の装置。
【請求項１９】
該第１信号と該第２信号とは、２つの端末からのものである、請求項１８の装置。
【請求項２０】
該第１信号と該第２信号とは、多元入力・多元出力（ＭＩＭＯ）伝送に対するものである、請求項１８の装置。
【発明の詳細な説明】
【優先権の主張】
【０００１】
本特許出願は、２００５年８月１２日に提出され、本出願の譲受人に譲渡され、そして、本出願における参照としてここに明確に組み込まれた、“最新の受信機のためのＳＮＲ敏感なチャネル推定”と題する米国特許仮出願番号第６０／７０７，６７３号に優先権を主張する。
【技術分野】
【０００２】
本開示は、一般に通信に係わり、より詳しくはチャネル推定を実行するための技術に関する。
【背景技術】
【０００３】
無線通信システムでは、送信機は、一般的にはトラヒック・データを処理して（例えば、符号化し及び変調して）データ・シンボルを生成する。コヒーレントな（coherent）システムでは、送信機は、パイロット・シンボルをデータ・シンボルと多重化し、該多重化されたデータ及びパイロット・シンボルを処理して変調された信号を生成し、そして無線チャネルを介して該変調信号を送信する。無線チャネルは、送信される信号をチャネル応答のために歪め、そして雑音と干渉のために該信号を更に劣化させる。
【０００４】
受信機は、送信信号を受信し、そして受信された信号を処理して入力サンプルを求める。コヒーレントなデータ検出のために、受信機は、受信されたパイロット・シンボルに基づいて無線チャネルの応答を推定しそしてチャネル推定値を得る。受信機は、次に該チャネル推定値を用いて入力サンプルについてデータ検出を実行し、送信機によって送られたデータ・シンボルの推定値である検出されたシンボルを求める。受信機は、次に該検出シンボルを処理して（例えば、復調し及び復号して）復号されたデータを求める。
【０００５】
チャネル推定値の品質は、データ検出性能に大きな影響を有する可能性があり、そして、復号データの信頼性と同様に検出シンボルの品質に影響する可能性がある。従って、当業界では無線通信のために高品質チャネル推定値を得るための技術に対する必要性がある。
【発明の概要】
【０００６】
種々の異なるチャネル推定フィルタを用いてチャネル推定値を得るための技術が本明細書で説明される。例示的な実施形態によれば、少なくとも１つのプロセッサとメモリとを含む装置が説明される。該（複数の）プロセッサは、復元されるべき信号に対するフィルタ選定基準を決定し、該フィルタ選定基準に基づいてチャネル推定フィルタを選択し、そして該選択されたチャネル推定フィルタを用いてチャネル推定値を得る。
【０００７】
別の例示的な実施形態によれば、少なくとも１つのプロセッサとメモリとを含む装置が説明される。該（複数の）プロセッサは、パイロット・シンボルに基づきそして第１チャネル推定フィルタを用いて第１チャネル推定値を得る。該（複数の）プロセッサは、第１チャネル推定値を用いて第１パケットを復元し、そして該第１パケットに対するデータ・シンボルを再生成する。該（複数の）プロセッサは、該データ・シンボルに基づきそして第２チャネル推定フィルタを用いて第２チャネル推定値を得る、そして該第１チャネル推定値及び第２チャネル推定値に基づいて第３チャネル推定値を求める。
【０００８】
更に別の例示的な実施形態によれば、少なくとも１つのプロセッサとメモリとを含む装置が説明される。該（複数の）プロセッサは、第１フィルタ応答を有する第１チャネル推定フィルタを用いて第１チャネル推定値を得、該第１チャネル推定値を用いて第１信号を復元し、そして、第１信号起因の干渉を推定しそして除去する。該（複数の）プロセッサは、第１フィルタ応答とは異なる第２フィルタ応答を有する第２チャネル推定フィルタを用いて第２チャネル推定値を得る。
【０００９】
本発明の種々の態様と例示的な実施形態が、下記に更に詳細に説明される。
【図面の簡単な説明】
【００１０】
【図１】図１は、無線通信システムを示す。
【図２】図２は、Ｗ−ＣＤＭＡにおけるフレーム・フォーマットとスロット・フォーマットを示す。
【図３】図３は、基地局と端末のブロック図を示す。
【図４】図４は、端末におけるＣＤＭＡ変調器のブロック図を示す。
【図５】図５は、基地局における受信（ＲＸ）プロセッサのブロック図を示す。
【図６】図６は、パイロット・シンボルとデータ・シンボルに対して異なるチャネル推定フィルタを持つＲＸプロセッサのブロック図を示す。
【図７】図７は、干渉キャンセラを持つＲＸプロセッサのブロック図を示す。
【図８】図８は、ＭＩＭＯ伝送のための送信機と受信機のブロック図を示す。
【図９】図９は、干渉キャンセラを持つＲＸプロセッサのブロック図を示す。
【図１０】図１０は、信号を復元するための処理を示す。
【図１１】図１１は、異なる複数のチャネル推定値を用いて信号を復元するための処理を示す。
【図１２】図１２は、多重信号を復元するための処理を示す。
【発明を実施するための形態】
【００１１】
“例示的な（exemplary）”という用語は、本明細書中では“例、例証、又は実例として働く”ということを意味するために使用される。本明細書中で“例示的な”と記載される何れの例示的な実施形態も、他の例示的な実施形態に対して優位である又は有利であると解釈される必要はない。
【００１２】
図１は、無線通信システム１００を示す。簡明を期するため、図１は、１つの基地局１１０と３つの端末１２０のみを示す。基地局は、一般に複数の端末と通信する固定局であって、ノードＢ、アクセス・ポイント、基地トランシーバ局（base transceiver station）（ＢＴＳ）、或いは何か他の用語で呼ばれることもある。基地局は、下り回線と上り回線上で１又は複数の端末と通信することが出来る。下り回線（即ち、順方向リンク）は、基地局から端末への通信回線のことを指し、上り回線（即ち、逆方向リンク）は、端末から基地局への通信回線のことを指す。
【００１３】
端末は、固定局又は移動体であることが出来て、利用者装置（user equipment）（ＵＥ）、移動局、利用者端末、加入者ユニット、或いは何か他の用語で呼ばれることもある。端末は、セルラ電話、個人ディジタル補助装置（personal digital assistant）（ＰＤＡ）、無線デバイス、無線モデム・カード、ハンドヘルド・デバイス、或いは何か他のデバイス又は装置であることが出来る。下記の説明では、用語“端末”と“利用者”が互換的に使用される。
【００１４】
下り回線上では、基地局１１０は、１又は複数の下り回線信号を端末１２０に送信できる。それぞれの下り回線信号は、１又は複数の信号伝搬路を介してそれぞれの端末１２０に到達出来て、該伝搬路は、直通伝搬路及び／又は反射された伝搬路を含むことが出来る。反射伝搬路は、無線環境における障害物（例えば、建物，木、車両及びその他の構造物）起因の無線通信波の反射によって作られる。それぞれの端末１２０は、それぞれの下り回線信号の複数のインスタンス又はコピーを受信できる。それぞれの受信信号インスタンスは、異なる信号伝搬路を介して得られ、そして該信号伝搬路によって決められる特有の複素利得と特有の時間遅れを有する。それぞれの端末１２０における受信信号は、基地局１１０に対する全ての受信信号インスタンスの重ね合わせである。
【００１５】
上り回線上では、各端末１２０は、１又は複数の上り回線信号を基地局１１０に送信できる。それぞれの上り回線信号は、１又は複数の信号伝搬路を介して基地局１１０に到達することが出来る。基地局１１０での受信信号は、該上り回線上で送信する全ての端末に対する全ての受信信号インスタンスの重ね合わせである。
【００１６】
本明細書で説明されるチャネル推定技術は、種々の通信システムに対して使用されることが出来て、そのような通信システムは、例えば、符号分割多元接続（Code Division Multiple Access）（ＣＤＭＡ）システム、時分割多元接続（Time Division Multiple Access）（ＴＤＭＡ）システム、周波数分割多元接続（Frequency Division Multiple Access）（ＦＤＭＡ）システム、直交周波数分割多元接続（Orthogonal FDMA）（ＯＦＤＭＡ）、単一キャリア（Single-Carrier）ＦＤＭＡ（ＳＣ−ＦＤＭＡ）システム、等々である。ＣＤＭＡシステムは、例えばｃｄｍａ２０００、ユニバーサル地上波無線通信接続（Universal Terrestrial Radio Access）（ＵＴＲＡ）周波数分割二重通信（Frequency Division Duplexing）（ＦＤＤ）、或いはＵＴＲＡ時間分割二重通信（Time Division Duplexing）（ＴＤＤ）のような、無線技術を実行することが出来る。ｃｄｍａ２０００は、ＩＳ−２０００、ＩＳ−９５、及び、ＩＳ−８５６、を包含する。ＵＴＲＡ  ＦＤＤは、広帯域ＣＤＭＡ（Wideband-CDMA）（Ｗ−ＣＤＭＡ）とも呼ばれる。ＴＤＭＡシステムは、移動体通信のためのグローバル・システム（Global system for Mobile communications）（ＧＳＭ（登録商標））のような無線通信技術を実装することが出来る。これ等の多様な無線通信技術及び標準は公知である。ＵＴＲＡ  ＦＤＤ、ＵＴＲＡ  ＴＤＤ及びＧＳＭは、“第３世代パートナーシップ・プロジェクト”（“3rd Generation Partnership Project”）（３ＧＰＰ）と呼ばれる組織からの資料に説明されている。ｃｄｍａ２０００は、 “第３世代パートナーシップ・プロジェクト２”（“3rd Generation Partnership Project 2”）（３ＧＰＰ２）と呼ばれる組織からの資料に説明されている。３ＧＰＰと３ＧＰＰ２の資料は、公に入手可能である。
【００１７】
チャネル推定技術は、下り回線伝送及び上り回線伝送に対して使用されることが出来て、基地局において同様に端末においても実行されることが出来る。簡明を期するため、下記ではＷ−ＣＤＭＡにおける上り回線伝送に対して説明される。
【００１８】
図２は、Ｗ−ＣＤＭＡにおけるフレーム・フォーマットを示す。伝送のための時間配列表は、複数の無線通信フレームに分割される。それぞれの無線通信フレームは、１０ｍｓの持続時間を有して、１２ビットのシステム・フレーム番号（system frame number）（ＳＦＮ）によって識別される。それぞれの無線通信フレームは、更に１５スロットに分割され、該スロットは、スロット０〜スロット１４とラベル付けされる。各スロットは、持続時間０．６６７ｍｓを有し３．８４Ｍｃｐｓの速度では２５６０チップを含む。各無線通信フレームは、しかも５個のサブフレームに分割される。各サブフレームは、２ｍｓの持続時間を有して３スロットを含む。
【００１９】
図２は、しかもトラヒック及び他のデータを上り回線で送るために端末によって使用される上り回線専用物理チャネル（dedicated physical channel）（ＤＰＣＨ）に対するスロット・フォーマットも示す。上り回線ＤＰＣＨは、トラヒック・データを搬送する専用物理データ・チャネル（dedicated physical data channel）（ＤＰＤＣＨ）及びパイロットと制御データを搬送する専用物理制御チャネル（dedicated physical control channel）（ＤＰＣＣＨ）を含む。端末に対する無線リンクは、０個、１個又は複数個のＤＰＤＣＨ及び唯１個のＤＰＣＣＨを含むことが出来る。
【００２０】
ＤＰＣＣＨのそれぞれのスロットは、パイロット・フィールド、転送フォーマット組合せインジケータ（transport format combination indicator）（ＴＦＣＩ）フィールド、フィードバック情報（feedback information）（ＦＢＩ）フィールド、及び送信出力制御（transmit power control）（ＴＰＣ）フィールドを含む。パイロット・フィールドは、パイロット・シンボルを搬送する。ＴＦＣＩフィールドは、トラヒック・データを復元するために使用されるフォーマット情報を搬送する。ＦＢＩフィールドは、端末から基地局への例えば送信ダイバシチのためのフィードバックを搬送する。ＴＰＣフィールドは、出力制御情報を搬送して基地局に対して該端末への下り回線伝送のための送信出力を調整することを指示する。それぞれのフィールドにおけるビット数は、０以上であって、利用のために選択されるスロット・フォーマットにより決定される。
【００２１】
図２は、又トラヒック・データを搬送するＥ−ＤＣＨ  ＤＰＤＣＨ（Ｅ−ＤＰＤＣＨ）と制御データを搬送するＥ−ＤＣＨ  ＤＰＣＣＨ（Ｅ−ＤＰＣＣＨ）に対するスロット・フォーマットも示す。端末に対する無線リンクは、０個、１個又は複数個のＥ−ＤＰＤＣＨ及び多くとも１個のＥ−ＤＰＣＣＨを含むことが出来る。
【００２２】
図３は、基地局１１０と端末１２０のブロック図を示し、該端末は、図１における複数の端末の１つである。端末１２０では、送信（transmit）（ＴＸ）データ・プロセッサ３１０は、データ・パケットを受け取り、それぞれのパケットを処理し（例えば、符号化し、インターリーブし、そしてシンボル・マップし）、そしてデータ・シンボルを生成する。パケットは、転送ブロック、フレーム等々とも呼ばれる。データ・シンボルは、データのためのシンボルであり、パイロット・シンボルは、パイロットのためのシンボルであり、そしてパイロットは、端末と基地局双方によって先験的に知られているデータである。データ・シンボルとパイロット・シンボルは、ＰＳＫ、ＱＡＭ又は何か他の変調方式に対する信号コンステレーションからの変調シンボルであることが出来る。ＴＸデータ・プロセッサ３１０は、又それぞれのパケットに、該パケットが正しく復号されるか誤って復号されるかを判定するために使用される巡回冗長検査（cyclic redundancy check）（ＣＲＣ）値を添付する。ＣＤＭＡ変調器３２０は、データ・シンボルとパイロット・シンボルを処理して、送信機（transmitter）（ＴＭＴＲ）３３０に出力チップを供給する。送信機３３０は、該出力チップを処理して（例えば、アナログへ変換し、増幅し、フィルタ処理し、及び周波数アップコンバートして）、アンテナ３３２から送信される上り回線信号を生成する。
【００２３】
基地局１１０では、アンテナ３５２は、直接及び／又は反射経路を介して端末１２０からの上り回線信号を他の端末からのと同様に受信する。アンテナ３５２は、受信信号を受信機（receiver）（ＲＣＶＲ）３５４に供給する。受信機３５４は、該受信信号を処理して（例えば、フィルタ処理し、増幅し、周波数ダウンコンバートし、及びディジタル化して）、入力サンプルをＲＸプロセッサ３６０に供給する。ＲＸプロセッサ３６０の内部では、ＣＤＭＡ復調器（demodulator）（Ｄｅｍｏｄ）３６２は、入力サンプルを処理して、端末１２０によって送られたデータ・シンボルの推定値である検出されたシンボルを供給する。ＣＤＭＡ復調器３６２は、レーキ受信機及び／又は等化器を実装することが出来て、それ等の各々は、複数の信号経路からのエネルギーを統合することが出来る。ＲＸデータ・プロセッサ３６４は、該検出シンボルを処理して（例えば、シンボル・デマップし、デインターリーブし、及び復号して）、復号データを供給する。一般に、ＣＤＭＡ復調器３６２とＲＸデータ・プロセッサ３６４による処理は、それぞれ端末１２０におけるＣＤＭＡ変調器３２０とＴＸデータ・プロセッサ３１０による処理に相補的である。
【００２４】
制御器／プロセッサ３４０及び３７０は、それぞれ端末１２０及び基地局１１０における種々の処理ユニットの動作を命令する。メモリ３４２及び３７２は、それぞれ端末１２０及び基地局１１０に対するデータ及びプログラム・コードを記憶する。
【００２５】
図４は、端末１２０におけるＣＤＭＡ変調器３２０のブロック図を示す。ＣＤＭＡ変調器３２０の内部では、拡散器４１２は、チャネライゼーション・コードＣｄを用いてＤＰＤＣＨに対するデータ・シンボルを拡散し、データ・チップを供給する。拡散器４１２は、Ｎ個の複製シンボルを生成するためにそれぞれのデータ・シンボルを繰り返す、ここにＮはコードＣｄの長さである。拡散器４１２は、次に該Ｎ個の複製シンボルにＮチップのコードＣｄを乗じて、該データ・シンボルに対するＮ個のデータ・チップを生成する。乗算器４１４は、拡散器４１２の出力にＤＰＤＣＨに対する利得係数βｄを乗ずる。乗算器４１６は、乗算器４１４の出力に、＋１又はｊであることが出来るｉｑｄを乗じて、ＤＰＤＣＨに対してチップを供給する。拡散器４２２は、チャネライゼーション・コードＣｃを用いてＤＰＣＣＨに対するパイロット・シンボルと制御シンボルを拡散する。乗算器４２４は、拡散器４２２の出力にＤＰＣＣＨに対する利得係数βｃを乗ずる。乗算器４２６は、乗算器４２４の出力にｉｑｃ＝ｊを乗じて、ＤＰＣＣＨに対してチップを供給する。
【００２６】
拡散器４３２は、チャネライゼーション・コードＣｅｄを用いてＥ−ＤＰＤＣＨに対するデータ・シンボルを拡散する。乗算器４３４は、拡散器４３２の出力にＥ−ＤＰＤＣＨに対する利得係数βｅｄを乗ずる。乗算器４３６は、乗算器４３４の出力にｉｑｅｄ＝＋１又はｊを乗じて、Ｅ−ＤＰＤＣＨに対してチップを供給する。拡散器４４２は、チャネライゼーション・コードＣｅｃを用いてＥ−ＤＰＣＣＨに対する制御シンボルを拡散する。乗算器４４４は、拡散器４４２の出力にＥ−ＤＰＣＣＨに対する利得係数βｅｃを乗ずる。乗算器４４６は、乗算器４４４の出力にｉｑｅｃ＝＋１を乗じて、Ｅ−ＤＰＣＣＨに対してチップを供給する。
【００２７】
加算器４４８は、乗算器４１６、４２６、４３６及び４４６からのチップを加算して、複素値チップを供給する。スクランブラ４５０は、加算器４４８の出力に端末１２０に対するスクランブル・コードＳｄｐｃｈ，ｎを乗じて、出力チップを供給する。
【００２８】
一般に０又は１以上のＤＰＤＣＨ及び０又は１以上のＥ−ＤＰＤＣＨが同相（inphase）（Ｉ）パス（path）及び直交相（quadrature）（Ｑ）パスのそれぞれの上で送られることが出来る。それぞれのＤＰＤＣＨは、それぞれ９６０〜１５ｋｂｐｓに対応する、長さ４〜２５６チップを有する異なるチャネライゼーション・コードＣｄを用いて拡散される。それぞれのＥ−ＤＰＤＣＨは、それぞれ１９２０又は９６０ｋｂｐｓに対応する、長さ２又は４チップを有する異なるチャネライゼーション・コードＣｅｄを用いて拡散される。ＤＰＣＣＨはＱパス上で送られ、そして２５６チップのチャネライゼーション・コードＣｃを用いて拡散される。ＤＰＣＣＨは、各スロットにおいて１０シンボルを搬送し、そしてパイロット・フィールドは、３〜８パイロット・シンボルを搬送することが出来る。Ｅ−ＤＰＣＣＨは、Ｉパス上で送られ、そして２５６チップのチャネライゼーション・コードＣｅｃを用いて拡散される。
【００２９】
利得係数βｄ及びβｅｄは、トラヒック・データのために使用する送信出力の大きさを決定する。利得係数βｃ及びβｅｃは、パイロット・データと制御データのために使用する送信出力の大きさを決定する。トラヒック対パイロット比（traffic-to-pilot）（ＴｔｏＰ）は、トラヒック強度のパイロット強度に対する比であって、ＴｔｏＰ＝２０・ｌｏｇ１０（βｄ／βｃ）或いは２０・ｌｏｇ１０（βｅｄ／βｅｃ）、としてデシベル（ｄＢ）の単位で与えられることが出来る。トラヒック対パイロット比は、一般的には良好なチャネル推定性能を達成するために選択され、例えば０から２０ｄＢの範囲を取り得る。
【００３０】
基地局１１０は、端末１２０に対する上り回線チャネルの応答を該端末によって送られたパイロット・シンボル及び／又はデータ・シンボルに基づいて推定することが出来る。基地局１１０は、図４で示される様な符号分割多重を用いて送られることが出来る、パイロット・シンボルを用いてパイロットに基づくチャネル推定値を得ることが出来る。基地局１１０は、例えばパケットが首尾よく復号された後に、データ・シンボルを用いてデータに基づくチャネル推定値を得ることが出来る。
【００３１】
一般に、チャネル推定性能は、２つの競合因子−雑音抑制とチャネル・トラッキング−によって影響される。ゆっくりと変動するチャネルに対しては、可能な限り多数のシンボルを用いてチャネル推定値を得ることが望ましい、というのは、チャネル利得がゆっくり変動し、そして、チャネル推定値の品質は、一般的にはより多くのシンボルを使用することによって向上するからである。速いフェージング・チャネルに対しては、より少ないシンボルを用いてチャネル推定値を得ることが望ましい、というのは、チャネル変動がコヒーレントに結合されることが出来るシンボル個数を制限するからである。同様に、低いＳＮＲのチャネルに対してはより多くのシンボルを用い、高いＳＮＲのチャネルに対してはより少ないシンボルを用いて、チャネル推定値を得ることが望ましい。
【００３２】
例示的な実施形態では、チャネル推定値は、種々の異なるチャネル状態に対して設計された種々の異なるチャネル推定フィルタを用いて得られる。チャネル状態は、ＳＮＲ、モビリティ、フェージング、及び／又はその他の因子によって定量化されることが可能であって、下記に説明されるように明示的又は黙示的に決定されることが可能である。
【００３３】
チャネル推定フィルタは、種々の設計を用いて実現されることが出来る。例示的な実施形態では、チャネル推定フィルタは、下記のような、有限インパルス応答（finite impulse response）（ＦＩＲ）フィルタを用いて実現される。
【数１】
0005442696.tif 000002
【００３４】
ここに、Ｈ∧（ｎ，ｋ）はスロットｎにおけるタップｋに対する初期チャネル利得推定値、
Ｗｍ（ｉ，ｋ）はチャネル推定フィルタｍのスロットｉにおけるタップｋに対するフィルタ係数、
Ｈ〜ｍ（ｎ，ｋ）はフィルタｍに関するスロットｎにおけるタップｋに対するフィルタ処理されたチャネル利得推定値、及び
Ｌｍはフィルタｍの長さである。
【００３５】
別の例示的な実施形態では、チャネル推定フィルタは、下記のような、無限インパルス応答（infinite impulse response）（ＩＩＲ）フィルタを用いて実現される。
【数２】
0005442696.tif 000003
【００３６】
ここにαｍは平均化の量を決定する係数である。大きな値のαｍは、より平均化を進めることに対応し、そして小さな値のαｍは、より平均化を抑えることに対応する。チャネル推定フィルタは、その他の型のフィルタを用いて実現されることも可能である。
【００３７】
Ｍ個の異なるチャネル推定フィルタがｍ＝１，．．．，Ｍに対して定められることが出来る、ここに、Ｍ＞１である。ＦＩＲフィルタに対しては、それぞれのチャネル推定フィルタは、固有のフィルタ長Ｌｍ及びフィルタ係数Ｗｍ（ｉ，ｋ）の固有の集合を有する。Ｗｍ（ｉ，ｋ）がタップ指標ｋの関数となるように、異なるタップに対して異なる係数が使用されることが可能である。それに代わって、Ｗｍ（ｉ）がタップ指標ｋの関数にならないように、同一の係数が全てのタップに対して使用されることが可能である。ＩＩＲフィルタに対しては、それぞれのチャネル推定フィルタは、異なる係数αｍを有する。
【００３８】
一般に、任意のチャネル状態に対して任意の個数のチャネル推定フィルタが定められることが出来る。例示的な実施形態では、２つのチャネル推定フィルタがＦＩＲフィルタを用いて実現される。第１フィルタは、２スロットの長さを有し、両方のスロットに対して同一の係数を有する、即ち、Ｌ１＝２及びＷ１（０，ｋ）＝Ｗ１（１，ｋ）。第２フィルタは、３又は４スロットの長さを有しそしてそれ等のスロットに対して異なる係数を有する。第１フィルタは、高ＳＮＲ、高モビリティ及び／又は高速フェージングに対して使用されることが出来る。第２フィルタは、低ＳＮＲ、低モビリティ及び／又は低速フェージングに対して使用されることが出来る。
【００３９】
例示的な実施形態では、全ての利用可能なチャネル推定フィルタの中からフィルタ選定基準に基づいて適切なチャネル推定フィルタが選択される。この基準は、ＳＮＲ，モビリティ、フェージング及び／又はその他の因子に関係することが可能である。例示的な実施形態では、該基準は、チャネル推定値がパイロット・シンボルに基づいて得られるか或いはデータ・シンボルに基づいて得られるのかを指示する。別の例示的な実施形態では、該基準は、トラヒック対パイロット比に対応する。出力制御機構は、パイロットＳＮＲが目標ＳＮＲ、該目標は、−２０ｄＢ或いは何か他の値であることが出来る、に保持されるように送信出力を調整することが出来る。データＳＮＲは、パイロットＳＮＲとトラヒック対パイロット比に基づいて決定されることが出来る。更に別の例示的な実施形態では、該基準は、利用のために選択されるパケット・フォーマットに対応する。異なるパケット・フォーマットは、異なる符号化率及び／又は変調方式と関連付けられることが出来て、信頼性のある復号のために異なるＳＮＲを要求できる。更に別の例示的な実施形態では、該基準は、受信パイロット・シンボル及び／又は受信データ・シンボルに基づいて決定されるＳＮＲに対応する。更に別の例示的な実施形態では、該基準は、パイロット相関を用いて或いは公知の何か他の方法で推定されるモビリティ（又はドップラー広がり）に関連する。該基準は、その他の方法で定義されることも可能である。
【００４０】
図５は、ＲＸプロセッサ３６０ａのブロック図であって、それは図３におけるＲＸプロセッサ３６０の例示的な実施形態である。ＲＸプロセッサ３６０ａの内部では、パイロット逆拡散器５１２は、（例えば、ＤＰＣＣＨに対するチャネライゼーション・コードＣｃを用いて）入力サンプルを逆拡散し、そして、逆拡散されたパイロット・シンボルを供給する。ユニット５１４は、逆拡散されたパイロット・シンボル上で変調を除去してチャネル利得推定値を供給する。チャネル推定フィルタ５１６は、チャネル利得推定値とフィルタ選定基準を受け取る。フィルタ５１６は、該基準に基づいて全ての可能なフィルタの中から適切なフィルタを選択する。フィルタ５１６は、次に該選択されたフィルタを用いて、例えば、数式（１）又は（２）で示されるように、チャネル利得推定値をフィルタ処理し、そして、パイロットに基づくチャネル推定値（pilot-based channel estimate）（ＣＨＰ）を供給する。
【００４１】
データ逆拡散器５２２は、（例えば、ＤＰＤＣＨに対するチャネライゼーション・コードＣｄ又はＥ−ＤＰＤＣＨに対するチャネライゼーション・コードＣｅｄを用いて）入力サンプルを逆拡散し、逆拡散データ・シンボルを供給する。復調器／復号器５２４は、パイロットに基づくチャネル推定値を用いて逆拡散されたデータ・シンボル上でデータ検出を実行し検出シンボルを求める。ユニット５２４は、該検出シンボルを更にデインターリーブしそして復号して復号データを求める。ＣＲＣ検査器５２６は、それぞれの復号パケットを検査し、そして、該パケットが正しく復号されたか誤って復号されたかを判定する。
【００４２】
図６は、ＲＸプロセッサ３６０ｂのブロック図であって、これは図３におけるＲＸプロセッサ３６０の別の例示的な実施形態である。ＲＸプロセッサ３６０ｂは、逆拡散器５１２と５２２、パイロット変調除去ユニット５１４、チャネル推定フィルタ５１６、復調器／復号器５２４、及びＣＲＣ検査器５２６を含み、これ等は図５に対して上に説明されたように動作する。
【００４３】
もしパケットが正しく復号されるならば、その場合符号器／変調器５２８は、端末１２０と同様な方法で該復号パケットを処理し（例えば、符号化し、インターリーブし、そして変調し）、そして再生成されたデータ・シンボルを供給する。ユニット５３４は、該再生成データ・シンボルを用いて該逆拡散されたデータ・シンボル上の変調を除去し、データに基づくチャネル利得推定値Ｈ∧ｄ（ｎ，ｋ）を供給する。チャネル推定フィルタ５３６は、該チャネル利得推定値Ｈ∧ｄ（ｎ，ｋ）をフィルタ処理し、データに基づくチャネル推定値（data-based channel estimate）（ＣＨＤ）を供給する。ユニット５３４からの該チャネル利得推定値Ｈ∧ｄ（ｎ，ｋ）は、正しく復号されて再符号化された多数のデータ・シンボルから得られることが出来て、従って、ユニット５１４からのパイロットに基づくチャネル利得推定値Ｈ∧ｐ（ｎ，ｋ）よりも信頼性が高いと言える。従って、フィルタ５３６は、高ＳＮＲに対して良好な性能を与えることが出来るフィルタを実現することが出来る。
【００４４】
結合器５３８は、フィルタ５１６からパイロットに基づくチャネル推定値ＣＨＰを、そして、フィルタ５３６からデータに基づくチャネル推定値ＣＨＤを受け取る。結合器５３８は、２つのチャネル推定値のうちの１つを選択することが出来る、或いは２つのチャネル推定値を結合することが出来る。結合器５３８は、もしある一定の基準が満たされるならば、データに基づくチャネル推定値を供給することが可能で、その他の場合はパイロットに基づくチャネル推定値を供給することが可能である。例えば、結合器５３８がデータに基づくチャネル推定値を供給することが可能なのは、もしそれが利用可能であって無効になってない（例えば、事前に決定された数のスロット内で得られる）場合、もしトラヒック対パイロット比が特定の閾値を超える場合、等々である。結合器５３８は、例えばもしトラヒック対パイロット比がある特定の範囲内にある場合、パイロットに基づくチャネル推定値とデータに基づくチャネル推定値とを結合することも出来る、そしてその他の場合は、結合不可とすることが出来る。結合すべきか結合すべきでないかに関する判断は、２つのチャネル推定値の品質に基づいて行われ、これはトラヒック対パイロット比から結論を下されることが出来る。もしパイロットとデータのＳＮＲが同程度であれば２つのチャネル推定値を結合することによって、もし該ＳＮＲが十分に異なるならば良い方のチャネル推定値を利用することによって、良好な性能が達成されることが出来る。結合器５３８は、パイロットに基づくチャネル推定値とデータに基づくチャネル推定値を（例えば、該チャネル推定値のＳＮＲに基づいて）重み付けして、次に該重み付けされたチャネル推定値を結合することが出来る。結合器５３８は、パイロットに基づくチャネル推定値とデータに基づくチャネル推定値の重み付けされない平均を実行することも可能である。何れにせよ、結合器５３８は、復調器／復号器５２４に対してチャネル推定値を供給する。
【００４５】
基地局１１０は、複数の端末から上り回線伝送を受信できる。例示的な実施形態では、基地局１１０は、例えば図５又は図６で示される様に、受信機３５４からの入力サンプルを各端末に対して独立に処理して、該端末からの上り回線伝送を復元する。この例示的な実施形態では、それぞれの端末からの上り回線伝送は、他の端末への干渉として作用する。
【００４６】
別の例示的な実施形態では、基地局１１０は、干渉キャンセルを利用して上り回線伝送を復元する。この例示的な実施形態では、基地局１１０は、受信機３５４からの入力サンプルを処理して１つの端末からの上り回線伝送を復元し、この端末起因の干渉を推定し、そして入力サンプルから該干渉を減算して次の端末に対する入力サンプルを求める。基地局１１０は、それぞれの残りの端末からの上り回線伝送を同様な方法で復元することが出来る。首尾よく復号された端末からの干渉を除去することによって、後に復元される端末に対してより高いＳＮＲが達成され得る。
【００４７】
図７は、ＲＸプロセッサ３６０ｃのブロック図であって、該プロセッサは、干渉キャンセルを実行しそして図３のＲＸプロセッサ３６０の更に別の例示的な実施形態である。ＲＸプロセッサ３６０ｃは、逆拡散器５１２と５２２、変調除去ユニット５１４と５３４、チャネル推定フィルタ５１６と５３６、結合器５３８、復調器／復号器５２４、ＣＲＣ検査器５２６、及び符号器／変調器５２８を含み、これ等は、下記の相違点に関するものを除いて図６に対して上に説明されたものと同様に動作する。第１に、逆拡散器５１２と５２２は、端末ｕに対する入力サンプルを受け取る。これ等の入力サンプルは、端末ｕが復元される最初の端末か否かに従って受信機３５４からの入力サンプルであることもないことも可能である。第２に、チャネル推定フィルタ５１６は、（結合器５３８に代わって）端末ｕに対するパイロットに基づくチャネル推定値、ＣＨＰｕ、を復調器／復号器５２４に供給する。第３に、チャネル推定フィルタ５３６は、端末ｕに対するデータに基づくチャネル推定値、ＣＨＤｕ、を供給する。
【００４８】
もしパケットが端末ｕに対して正しく復号されるならば、次に符号器／変調器５２８は、該復号パケットを処理して端末ｕに対する再生成データ・シンボルを供給する。ＣＤＭＡ変調器５４０は、次に該再生成データ・シンボル（及び恐らくパイロット・シンボルと制御シンボル）を拡散しそしてスクランブルし、そして端末ｕに対する出力チップ生成する。チャネル・エミュレータ５４２は、ＣＤＭＡ変調器５４０からの該出力チップ及び結合器５３８からのチャネル推定値を受け取り、該チャネル推定値を用いて該出力チップを畳み込み、そして端末ｕに対する干渉推定値を供給する。チャネル・エミュレータ５４２は、端末ｕに対する無線チャネルの影響をシミュレートする。干渉減算ユニット５４４は、端末ｕに対する入力サンプルから該干渉推定値を減算して次の端末ｕ＋１に対する入力サンプルを供給する。
【００４９】
図７で示される例示的な実施形態では、フィルタ５３６からのデータに基づくチャネル推定値ＣＨＤｕは、端末ｕに対する干渉推定値を得るために使用される。データに基づくチャネル推定値は、図６で示されるものと同様な方法で、端末ｕに対する復調及び復号のためにも使用されることが出来る。例えば、パケットが正しく復号される場合は何時でも、データに基づくチャネル推定値は、このパケットに対する再生成データ・シンボルから得られて、現在のパケットに対する干渉推定のために次のパケットに対する復調／復号と同様に使用される。
【００５０】
結合器５３８は、図６に対して上記で説明された任意の基準及び／又は干渉キャンセルに対して適用可能なその他の基準を用いて、パイロットに基づくチャネル推定値とデータに基づくチャネル推定値とを結合することが出来る。例えば、結合器５３８は、第１ステージ又は最初の数ステージに対するパイロットに基づくチャネル推定値を供給することが出来る。結合器５３８は、データに基づくチャネル推定値を供給することが出来る或いは残りのステージに対してパイロットに基づくチャネル推定値とデータに基づくチャネル推定値とを結合することが出来る。
【００５１】
図７は、１つのステージにおける１つの端末に対する処理を示す。Ｕ個の端末は、それぞれのステージで１つの端末ずつ、Ｕ個のステージで逐次的に処理されることが出来る。第１ステージは、第１端末に対する受信機３５４からの入力サンプルを処理し、そして入力サンプルを第２ステージに対して供給する。それぞれの後続のステージは、１つの端末に対する先行ステージからの入力サンプルを処理し、そして次のステージに対する入力サンプルを供給する。
【００５２】
複数の端末は、並列干渉キャンセルを用いて処理されることも出来る。この場合、全ての端末は、第１ラウンドで処理されることが出来る。第１ラウンドで首尾よく復号された全ての端末からの干渉は、推定され入力サンプルから減算されることが出来る。次に第１ラウンドで首尾よく復号されなかった端末は、干渉キャンセルされた入力サンプルを用いて再度処理されることが出来る。該処理は、全ての端末が首尾よく復号されるまで、或いは全ての首尾よく復号された端末からの干渉がキャンセルされてしまうまで、継続することが出来る。逐次的干渉キャンセルと並列的干渉キャンセルの組合せが実行されることも可能である。この場合、複数の端末は、例えばそれ等のＳＮＲに基づいて、グループに編成されることが出来る。該グループは、逐次的に処理されることが可能で、各グループ内の端末は並列的に処理されることが可能である。
【００５３】
干渉キャンセルに関しては、各端末のＳＮＲは、該端末が復元されるステージ／順序に依存する。第１端末のＳＮＲは、最も劣る、というのは干渉が除去されなかったからである。次の端末のＳＮＲは、より良好である、というのは第１端末からの干渉が除去されたからである。最後の端末のＳＮＲは、最も良好である、というのは全ての先行端末からの干渉が除去されたからである。一般に、ＳＮＲは、端末が後に復元されるほど次第に向上する。
【００５４】
ＳＮＲの大きな変動が、チャネル推定値を得るために使用されるシンボル中に存在する可能性がある。大きなＳＮＲ変動は、干渉キャンセル、及び／又はチャネル推定のために、例えばパイロット・シンボルとデータ・シンボルのような、異なる型のシンボルを使用すること、に起因することがあり得る。チャネル推定フィルタリングは、より高い品質のチャネル推定値を求めるために、ＳＮＲの変動に適応されることが出来る。
【００５５】
それぞれの端末に対するチャネル推定フィルタは、該端末に対するＳＮＲに基づいて選択されることが出来る。該ＳＮＲは、ステージ内の何処でフィルタが使用されるかということと同様に該端末が復元されるステージ／順序に依存する。最も劣質なＳＮＲを持つ第１端末に対しては、チャネル推定フィルタ５１６は、低ＳＮＲに対するものであり、そしてチャネル推定フィルタ５３６は、低又は中間ＳＮＲに対するものであることが出来る。それぞれの後続の端末に対して、フィルタ５１６と５３６は、次第により高いＳＮＲに対するものであることが出来る。一般に、順次後続のステージに対するフィルタ５１６は、次第により高いＳＮＲに対するものであることが出来る。順次後続のステージに対するフィルタ５３６も又次第により高いＳＮＲに対するものであることが出来る。任意の所与のステージに対して、フィルタ５３６は、フィルタ５１６よりもより高いＳＮＲに対するものであることが出来る。各ステージに対して使用するための特定のフィルタは、利用可能なすべてのチャネル推定フィルタの中から適切に選択されることが可能である。
【００５６】
本明細書で説明されるチャネル推定技術は、ハイブリッド自動再送要求（hybrid automatic repeat request）（Ｈ−ＡＲＱ）を用いて送られるデータに対して使用されることも出来る。Ｈ−ＡＲＱを用いて、送信機は、パケットが受信機によって正しく復号されるまで或いは該パケットに対して最大伝送数が送られるまで、パケットに対して１又は複数の伝送を送る。Ｈ−ＡＲＱは、データ伝送の信頼性を改良し、チャネル状態に変動がある場合にパケットに対するデータ速度適応をサポートする。Ｈ−ＡＲＱを用いて送られるパケットに対して、復調器／復号器５２４は、該パケットに対する全ての伝送を記憶し、該記憶された伝送を最新の伝送と結合し、そして該結合された伝送を復調しそして復号して該パケットを復元することが出来る。異なるチャネル推定フィルタが、異なるＳＮＲと関連付けられる可能性がある所与のパケットの異なる伝送に対して使用されることが出来る。
【００５７】
本明細書で説明されるチャネル推定技術は、単一入力・単一出力（single-input single-output）（ＳＩＳＯ）伝送、単一入力・多重出力（single-input multiple-output）（ＳＩＭＯ）伝送、多重入力・単一出力（multiple-input single-output）（ＭＩＳＯ）伝送、及び多重入力・多重出力（multiple-input multiple-output）（ＭＩＭＯ）伝送に対して使用されることが出来る。単一入力は、データ送信に対して１つの送信アンテナの使用を指し、そして多重入力は、データ送信に対して複数の送信アンテナの使用を指す。単一出力は、データ受信に対して１つの受信アンテナの使用を指し、そして多重出力は、データ受信に対して複数の受信アンテナの使用を指す。
【００５８】
図８は、ＭＩＭＯ伝送のための送信機８１０と受信機８５０のブロック図を示す。下り回線伝送に対しては、送信機８１０は、基地局１１０の一部であって、受信機８５０は、端末１２０の一部であることが出来る。上り回線伝送に対しては、送信機８１０は、端末１２０の一部であって、受信機８５０は、基地局１１０の一部であることが出来る。送信機１１０は、複数（Ｔ個）の送信アンテナを装備する。受信機８５０は、複数（Ｒ個）の受信アンテナを装備する。
【００５９】
送信機８１０では、ＴＸデータ・プロセッサ８２０は、データ・パケットを処理してデータ・シンボルのＳ個のストリームを生成する、ここに１≦Ｓ≦ｍｉｎ｛Ｔ，Ｒ｝。それぞれのパケットは、１つのストリームで或いは複数のストリームにわたり送られることが出来る。ＴＸ空間プロセッサ８２２は、パイロット・シンボルをデータ・シンボルと多重化し、該多重化されたシンボルについて空間マッピングを行い、そしてＴ個の出力チップをＴ個の送信機８２４ａ〜８２４ｔに供給する。それぞれの送信機８２４は、自身の出力チップ・ストリームを処理して変調信号を生成する。送信機８２４ａ〜８２４ｔからのＴ個の変調信号は、それぞれアンテナ８２６ａ〜８２６ｔから送信される。
【００６０】
受信機８５０では、Ｒ個のアンテナ８５２ａ〜８５２ｒが送信機８１０からの該変調信号を受信し、そして各アンテナ８５２は、受信信号をそれぞれの受信機８５４に供給する。それぞれの受信機８５４は、自身の受信信号を処理して入力サンプルを供給する。ＲＸプロセッサ８６０の内部では、ＲＸ空間プロセッサ８６２が該入力サンプルについてＭＩＭＯ検出を実行して、検出シンボルを供給する。ＲＸデータ・プロセッサ８６４は、該検出シンボルを更に処理して（例えば、デインターリーブしそして復号して）、復号パケットを供給する。
【００６１】
制御器／プロセッサ８３０及び８７０は、それぞれ送信機８１０と受信機８５０の動作を制御する。メモリ８３２と８７２は、それぞれ送信機８１０と受信機８５０に対するデータとプログラム・コードを記憶する。
【００６２】
図９は、ＲＸプロセッサ８６０ａのブロック図であって、該プロセッサは、図８におけるＲＸプロセッサ８６０の例示的な実施形態である。ＲＸプロセッサ８６０ａは、逐次干渉キャンセル（successive interference cancellation）（ＳＩＣ）を用いて送信機８１０からの伝送を復元する。
【００６３】
第１ステージ９１０ａに関して、チャネル推定器９１２ａは、例えばパイロット・シンボルに基づいて、チャネル推定値ＣＨ１を得る。ＭＩＭＯ検出器９１４ａは、受信機８５４ａ〜８５４ｒからのＲ個の入力サンプル・ストリームについてＭＩＭＯ検出を行って、復元される第１データ・ストリームに対して検出シンボルＤ１を供給する。ＭＩＭＯ検出器９１４ａは、ゼロフォーシング（zero-forcing）（ＺＦ）、最小２乗平均誤差（minimum mean square error）（ＭＭＳＥ）、又は何か他のＭＩＭＯ検出方式を実装することが出来る。復調器／復号器９１６ａは、該検出シンボルを復調し、デインターリーブしそして復号して復号パケットを得、更に該パケットが正しく復号されたか誤って復号されたかを判定する。
【００６４】
もし該パケットが正しく復号される場合、次に符号器／変調器９１８ａは、該パケットを符号化し、インターリーブしそして変調してデータ・シンボルを再生成する。チャネル推定器９２４ａは、再生成データ・シンボルと検出シンボルＤ１に基づいて、データに基づくチャネル推定値ＣＨＤ１を得る。結合器９２６ａは、チャネル推定器９１２ａからのチャネル推定値ＣＨ１とチャネル推定器９２４ａからのデータに基づくチャネル推定値ＣＨＤ１とを結合して、チャネル推定値ＣＨ２を供給する。干渉推定器９２０ａは、再生成データ・シンボルとチャネル推定値ＣＨ２に基づいて該復号パケット起因の干渉を推定する。干渉減算ユニット９２２ａは、入力サンプルから該干渉推定値を減算して、次のステージのための入力サンプルを供給する。
【００６５】
それぞれの後続ステージは、該ステージのための該入力サンプルについての処理を先行ステージからのチャネル推定値を用いて、第１ステージと同様な方法で、実行する。それぞれのステージは、次のステージのための入力サンプルとチャネル推定値を供給する。
【００６６】
ＳＮＲは、一般に後のステージに対して向上する。異なるチャネル推定フィルタが異なるステージにおけるチャネル推定器９１２及び／又は９２４に対して使用されることが出来て、これ等のステージに対するＳＮＲに基づいて選択されることが出来る。一般には、順次後続のステージに対するフィルタ９２４は、次第により高いＳＮＲに対するものであることが出来る。各ステージに対して使用される特定のフィルタは、利用可能な全てのチャネル推定フィルタの中から適切に選択されることが出来る。
【００６７】
図１０は、選択可能なチャネル推定フィルタを用いて信号を復元するための処理１０００の例示的な実施形態を示す。フィルタ選定基準は、復元されるべき信号に対して決定される（ブロック１０１２）。該フィルタ選定基準は、パイロット・シンボル又はデータ・シンボルが該チャネル推定値を得るために使用されるかどうか、該信号に対するトラヒック対パイロット比、復元されるべき複数の信号の中で該信号が復元される順序、該信号のＳＮＲ、モビリティ、及び／又はその他の情報、に基づいて決定されることが出来る。チャネル推定フィルタは、フィルタ選定基準に基づいて選択される（ブロック１０１４）。異なる長さ及び／又は周波数応答を持つ複数のチャネル推定フィルタが、例えば異なるＳＮＲ範囲に対して、利用可能である。好適なチャネル推定フィルタは、例えばフィルタ選定基準により明示的又は黙示的に指示されるＳＮＲに基づいて、選択されることが出来る。チャネル推定値が該選択されたチャネル推定フィルタを用いて得られる（ブロック１０１６）。該信号は、次に該チャネル推定値を用いて復元される（ブロック１０１８）。
【００６８】
図１１は、異なる複数のチャネル推定値を用いて信号を復元するための処理１１００の例示的な実施形態を示す。第１チャネル推定値が、パイロット・シンボルに基づきそして第１チャネル推定フィルタを用いて、得られる（ブロック１１１２）。第１パケットが第１チャネル推定値を用いて復元される（ブロック１１１４）。第１パケットに対するデータ・シンボルが再生成される（ブロック１１１６）。第２チャネル推定値が、データ・シンボルに基づきそして第２チャネル推定フィルタを用いて、得られる（ブロック１１１８）。第３チャネル推定値が第１及び第２チャネル推定値に基づいて求められる（ブロック１１２０）。第２チャネル推定値は、例えば、もし第２チャネル推定値の品質が第１チャネル推定値の品質を、トラヒック対パイロット比によって決定されることが出来る、ある事前に決定された量だけ凌駕するならば、第３チャネル推定値として供給されることが出来る。第１チャネル推定値と第２チャネル推定値は、重み付けを付して或いは重み付けなしで、結合されることが出来て、第３チャネル推定値として供給されることも可能である。何れにせよ、第２パケットは、第３チャネル推定値を用いて復元される（ブロック１１２２）。
【００６９】
図１２は、多重信号を復元するための処理１２００の例示的な実施形態を示す。第１チャネル推定値が、第１フィルタの応答を有する第１チャネル推定フィルタを用いて、得られる（ブロック１２１２）。第１信号が第１チャネル推定値を用いて復元される（ブロック１２１４）。第１信号起因の干渉が推定され（ブロック１２１６）そして除去される（ブロック１２１８）。第２チャネル推定値が、第１フィルタの応答とは異なる第２フィルタの応答を有する第２チャネル推定フィルタを用いて、得られる（ブロック１２２０）。第２信号が第２チャネル推定値を用いて復元される（ブロック１２２２）。
【００７０】
ブロック１２１６に対して、第１信号が再生成されることが出来る。第３チャネル推定値が、該再生成された第１信号に基づきそして第１フィルタの応答とは異なる第３フィルタの応答を有する第３チャネル推定フィルタを用いて、得られる。第４チャネル推定値が、第１及び第３チャネル推定値に基づいて、例えば（１）もしトラヒック対パイロット比がある特定の範囲内であるならば第１及び第３チャネル推定値を結合することにより、又は（２）その他の場合第１或いは第３チャネル推定値を第４チャネル推定値として供給することにより、求められることが出来る。第１信号起因の干渉は、第４チャネル推定値を用いて得られることが可能である。
【００７１】
さらなる信号は、第２信号と同様な方法で復元されることが可能である。該信号は、異なる送信機、例えば異なる端末、からのものであることが出来る。該信号は、ＭＩＭＯ伝送における異なるデータ・ストリームに対応することもあり得る。
【００７２】
当業者等は、情報と信号が任意の種々の異なる技術体系と個別技術を使用して表されることが出来ることを理解する。例えば、上述の説明全体に亘って参照されることが出来る、データ、指示、命令、情報、信号、ビット、シンボル、及び、チップは、電圧、電流、電磁波、磁場又は磁性粒子、光学的場又は光学粒子，或はこれ等の任意の組合せ、により表されることが可能である。
【００７３】
当業者等は、更に、本明細書中で開示された例示的な諸実施形態と関連して説明された種々の説明的な論理ブロック、モジュール、回路、及びアルゴリズム・ステップは、電子ハードウェア、コンピュータ・ソフトウェア、或は両者の組合せとして実装されることが可能であること、を認識する。ハードウェアとソフトウェアのこの交換可能性を明確に説明するために、種々の説明的な構成要素、ブロック、モジュール、回路、及びステップが上記において一般にそれ等の機能性を表す言葉で説明された。このような機能性がハードウェアとして実装されるか或はソフトウェアとして実装されるかは、固有の応用及びシステム全体に課される設計上の制約に依存する。当業者等は、説明された機能性を各特別な応用に対して種々の方法で実装することが出来る、しかし、そのような実装的な解決は、本発明の範囲からの逸脱をもたらすので、説明されるべきではない。
【００７４】
本明細書中で開示された例示的な諸実施形態と関連して説明された種々の説明的な論理ブロック、モジュール、及び回路は、汎用プロセッサ、ディジタル信号処理装置（Digital Signal Processor）（ＤＳＰ）、特定用途向け集積回路（Application Specific Integrated Circuit）（ＡＳＩＣ）、フィールド・プログラマブル・ゲート・アレイ（Field Programmable Gate Array）（ＦＰＧＡ）或は他のプログラム可能な論理デバイス、ディスクリート・ゲート（discrete gate）或はトランジスタ・ロジック（transistor logic）、ディスクリート・ハードウェア部品（discrete hardware components）、或は本明細書に記載された諸機能を実行するために設計されたそれ等の任意の組合せ、を用いて実装又は実行されることが出来る。汎用プロセッサは、マイクロプロセッサであって良い、しかし、その代わりに、該プロセッサは、任意の通常のプロセッサ、制御器、マイクロ制御器、或はステート・マシン（state machine）であって良い。プロセッサは、複数の計算デバイスの組合せ、例えば、ＤＳＰとマイクロプロセッサの組合せ、複数のマイクロプロセッサ、ＤＳＰコアと結合された１又は複数のマイクロプロセッサ、或は任意の他のこのような構成、として実装されることも可能である。
【００７５】
本明細書中で開示された例示的な諸実施形態に関連して説明された方法或はアルゴリズムのステップは、直接ハードウェアにおいて、プロセッサにより遂行されるソフトウェア・モジュールにおいて、或は両者の組合せにおいて、具体化されることが可能である。ソフトウェア・モジュールは、ＲＡＭメモリ、フラッシュ・メモリ（flash memory）、ＲＯＭメモリ、ＥＰＲＯＭメモリ、ＥＥＰＲＯＭメモリ、レジスタ、ハード・デイスク、リムーバブル・ディスク、ＣＤ−ＲＯＭ、或は公知の他の任意の形式の記憶媒体、中に常駐することが出来る。例示的な記憶媒体は、プロセッサと通信し（例えば、接続されている）、従ってプロセッサは、該記憶媒体から情報を読み出し、そこに情報を書き込むことが出来る。それに代わって、該記憶媒体は、プロセッサと統合されることも出来る。プロセッサと記憶媒体は、ＡＳＩＣの中に常駐することが可能である。該ＡＳＩＣは、利用者端末の中に常駐することが出来る。それに代わって、プロセッサと記憶媒体は、利用者端末中で個別的部品として常駐することが可能である。
【００７６】
開示された例示的な諸実施形態の前記の説明は、当業者の誰もが本発明を作る或は利用することを可能にするために提供されている。これ等の例示的な諸実施形態への種々の変更は、当業者等には容易に明白であり、そして、本明細書中で定義される包括的な諸原理は、本発明の精神或は範囲を逸脱することなく、他の例示的な諸実施形態に適用されることが出来る。かくして、本発明は、本明細書中に示される例示的な諸実施形態に限定されるようには意図されておらず、本明細書で開示された原理及び新規性と首尾一貫する最も広い範囲を認容されるべきである。
以下に本件出願当初の特許請求の範囲を付記する。
［Ｃ１］
復元されるべき信号に対するフィルタ選定基準を決定するためと、該フィルタ選定基準に基づいてチャネル推定フィルタを選択するためと、及び該選択されたチャネル推定フィルタを用いてチャネル推定値を得るための、少なくとも１つのプロセッサ、及び
該少なくとも１つのプロセッサと通信するメモリを具備する装置。
［Ｃ２］
該少なくとも１つのプロセッサは、該チャネル推定値を用いて該信号を復元する、［Ｃ１］の装置。
［Ｃ３］
該フィルタ選定基準は、パイロット・シンボル又はデータ・シンボルが該チャネル推定値を得るために使用されるかどうかを指示する、［Ｃ１］の装置。
［Ｃ４］
該フィルタ選定基準は、該信号に対するトラヒック対パイロット比を具備する、［Ｃ１］の装置。
［Ｃ５］
該フィルタ選定基準は、復元されるべき複数の信号の中で該信号が復元される順番を指示する、［Ｃ１］の装置。
［Ｃ６］
該フィルタ選定基準は、該信号の信号対雑音比（signal-to-noise  ratio）（ＳＮＲ）を指示する、［Ｃ１］の装置。
［Ｃ７］
該少なくとも１つのプロセッサは、異なる長さを有する複数のチャネル推定フィルタの中から該チャネル推定フィルタを選択する、［Ｃ１］の装置。
［Ｃ８］
該少なくとも１つのプロセッサは、異なるフィルタ応答を有する複数のチャネル推定フィルタの中から該チャネル推定フィルタを選択する、［Ｃ１］の装置。
［Ｃ９］
該少なくとも１つのプロセッサは、もし該フィルタ選定基準がＳＮＲの第１範囲内の信号対雑音比（ＳＮＲ）を指示するならば、第１チャネル推定フィルタを選択し、もし該フィルタ選定基準がＳＮＲの第２範囲内のＳＮＲを指示するならば、第２チャネル推定フィルタを選択する、［Ｃ１］の装置。
［Ｃ１０］
復号されるべき信号に対するフィルタ選定基準を決定すること、
該フィルタ選定基準に基づいてチャネル推定フィルタを選択すること、及び
該選択されたチャネル推定フィルタを用いてチャネル推定値を得ることを具備する方法。
［Ｃ１１］
該チャネル推定値を用いて該信号を復元することを更に具備する、［Ｃ１０］の方法。
［Ｃ１２］
該フィルタ選定基準を決定することは、
パイロット・シンボル又はデータ・シンボルが該チャネル推定値を得るために使用されるかどうか、該信号に対するトラヒック対パイロット比、復元されるべき複数の信号の中で該信号が復元される順番、該信号の信号対雑音比（ＳＮＲ）、或いはこれ等の組合せ、に基づいて該フィルタ選定基準を決定することを具備する、［Ｃ１０］の方法。
［Ｃ１３］
復号されるべき信号に対するフィルタ選定基準を決定するための手段、
該フィルタ選定基準に基づいてチャネル推定フィルタを選択するための手段、及び
該選択されたチャネル推定フィルタを用いてチャネル推定値を得るための手段を具備する装置。
［Ｃ１４］
該チャネル推定値を用いて該信号を復元するための手段を更に具備する、［Ｃ１３］の装置。
［Ｃ１５］
該フィルタ選定基準を決定するための該手段は、
パイロット・シンボル又はデータ・シンボルが該チャネル推定値を得るために使用されるかどうか、該信号に対するトラヒック対パイロット比、復元されるべき複数の信号の中で該信号が復元される順番、該信号の信号対雑音比（ＳＮＲ）、或いはこれ等の組合せ、に基づいて該フィルタ選定基準を決定するための手段を具備する、［Ｃ１３］の装置。
［Ｃ１６］
パイロット・シンボルに基づき且つ第１チャネル推定フィルタを用いて第１チャネル推定値を得るためと、該第１チャネル推定値を用いて第１パケットを復元するためと、該第１パケットに対するデータ・シンボルを再生成するためと、該データ・シンボルに基づき且つ第２チャネル推定フィルタを用いて第２チャネル推定値を得るためと、該第１チャネル推定値及び該第２チャネル推定値に基づいて第３チャネル推定値を求めるためと、及び該第３チャネル推定値を用いて第２パケットを復元するための、少なくとも１つのプロセッサ、及び
該少なくとも１つのプロセッサと通信するメモリを具備する装置。
［Ｃ１７］
該少なくとも１つのプロセッサは、もし該第２チャネル推定値の品質が該第１チャネル推定値の品質を事前に決定された量だけ凌駕するならば、該第２チャネル推定値を該第３チャネル推定値として供給する、［Ｃ１６］の装置。
［Ｃ１８］
該少なくとも１つのプロセッサは、該第２チャネル推定値の品質が該第１チャネル推定値の品質をトラヒック対パイロット比に基づいて該事前に決定された量だけ凌駕するかどうか、を判定する、［Ｃ１７］の装置。
［Ｃ１９］
該少なくとも１つのプロセッサは、該第３チャネル推定値を求めるために該第１チャネル推定値と該第２チャネル推定値とを結合する、［Ｃ１６］の装置。
［Ｃ２０］
該少なくとも１つのプロセッサは、該第１チャネル推定値の品質により決定される第１重みを用いて該第１チャネル推定値を重み付けし、該第２チャネル推定値の品質により決定される第２重みを用いて該第２チャネル推定値を重み付けし、そして該第３チャネル推定値を求めるために重み付けされた第１チャネル推定値と第２チャネル推定値とを結合する、［Ｃ１６］の装置。
［Ｃ２１］
パイロット・シンボルに基づき且つ第１チャネル推定フィルタを用いて第１チャネル推定値を得ること、
該第１チャネル推定値を用いて第１パケットを復元すること、
該第１パケットに対するデータ・シンボルを再生成すること、
該データ・シンボルに基づき且つ第２チャネル推定フィルタを用いて第２チャネル推定値を得ること、
該第１チャネル推定値及び該第２チャネル推定値に基づいて第３チャネル推定値を求めること、及び
該第３チャネル推定値を用いて第２パケットを復元することを具備する方法。
［Ｃ２２］
該第３チャネル推定値を求めることは、もし該第２チャネル推定値の品質が該第１チャネル推定値の品質を事前に決定された量だけ凌駕するならば、該第２チャネル推定値を該第３チャネル推定値として供給することを具備する、［Ｃ２１］の方法。
［Ｃ２３］
該第３チャネル推定値を求めることは、該第３チャネル推定値を求めるために該第１チャネル推定値と該第２チャネル推定値とを結合することを具備する、［Ｃ２１］の方法。
［Ｃ２４］
パイロット・シンボルに基づき且つ第１チャネル推定フィルタを用いて第１チャネル推定値を得るための手段、
該第１チャネル推定値を用いて第１パケットを復元するための手段、
該第１パケットに対するデータ・シンボルを再生成するための手段、
該データ・シンボルに基づき且つ第２チャネル推定フィルタを用いて第２チャネル推定値を得るための手段、
該第１チャネル推定値及び該第２チャネル推定値に基づいて第３チャネル推定値を求めるための手段、及び
該第３チャネル推定値を用いて第２パケットを復元するための手段を具備する装置。
［Ｃ２５］
該第３チャネル推定値を求めるための該手段は、もし該第２チャネル推定値の品質が該第１チャネル推定値の品質を事前に決定された量だけ凌駕するならば、該第２チャネル推定値を該第３チャネル推定値として供給するための手段を具備する、［Ｃ２４］の装置。
［Ｃ２６］
該第３チャネル推定値を求めるための該手段は、該第３チャネル推定値を求めるために該第１チャネル推定値と該第２チャネル推定値とを結合するための手段を具備する、［Ｃ２４］の装置。
［Ｃ２７］
第１フィルタ応答を有する第１チャネル推定フィルタを用いて第１チャネル推定値を得るためと、該第１チャネル推定値を用いて第１信号を復元するためと、該第１信号起因の干渉を推定するためと、該第１信号起因の干渉を除去するためと、該第１フィルタ応答とは異なる第２フィルタ応答を有する第２チャネル推定フィルタを用いて第２チャネル推定値を得るためと、及び該第２チャネル推定値を用いて第２信号を復元するための、少なくとも１つのプロセッサ、及び
該少なくとも１つのプロセッサと通信するメモリを具備する装置。
［Ｃ２８］
該少なくとも１つのプロセッサは、該第１信号を復元した後で該第１信号を再生成し、該再生成第１信号に基づき且つ該第１フィルタ応答とは異なる第３フィルタ応答を有する第３チャネル推定フィルタを用いて第３チャネル推定値を得て、該第１チャネル推定値及び該第３チャネル推定値に基づいて第４チャネル推定値を求め、そして該第４チャネル推定値を用いて該第１信号起因の干渉を推定する、［Ｃ２７］の装置。
［Ｃ２９］
該少なくとも１つのプロセッサは、もしトラヒック対パイロット比が特定範囲内にあるならば、該第４チャネル推定値を求めるために該第１チャネル推定値と該第３チャネル推定値とを結合し、そして、もしトラヒック対パイロット比が該特定範囲の外にあるならば、該第１チャネル推定値又は該第３チャネル推定値を該第４チャネル推定値として供給する、［Ｃ２８］の装置。
［Ｃ３０］
該少なくとも１つのプロセッサは、該第２信号起因の干渉を推定し、該第２信号起因の干渉を除去し、該第１フィルタ応答とは異なる第３フィルタ応答を有する第３チャネル推定フィルタを用いて第３チャネル推定値を得て、そして該第３チャネル推定値を用いて第３信号を復元する、［Ｃ２７］の装置。
［Ｃ３１］
該第１信号と該第２信号とは、２つの端末からのものである、［Ｃ２７］の装置。
［Ｃ３２］
該第１信号と該第２信号とは、多元入力・多元出力（ＭＩＭＯ）伝送に対するものである、［Ｃ２７］の装置。
［Ｃ３３］
第１フィルタ応答を有する第１チャネル推定フィルタを用いて第１チャネル推定値を得ること、
該第１チャネル推定値を用いて第１信号を復元すること、
該第１信号起因の干渉を推定すること、
該第１信号起因の干渉を除去すること、
該第１フィルタ応答とは異なる第２フィルタ応答を有する第２チャネル推定フィルタを用いて第２チャネル推定値を得ること、及び
該第２チャネル推定値を用いて第２信号を復元すること、を具備する方法。
［Ｃ３４］
該第１信号を復元した後で該第１信号を再生成すること、
該再生成第１信号に基づき且つ該第１フィルタ応答とは異なる第３フィルタ応答を有する第３チャネル推定フィルタを用いて第３チャネル推定値を得ること、
該第１チャネル推定値及び該第３チャネル推定値に基づいて第４チャネル推定値を求めること、及び
該第４チャネル推定値を用いて該第１信号起因の干渉を推定することを更に具備する、［Ｃ３３］の方法。
［Ｃ３５］
該第４チャネル推定値を求めることは、
もしトラヒック対パイロット比が特定の範囲内にあるならば、該第４チャネル推定値を求めるために該第１チャネル推定値と該第３チャネル推定値とを結合すること、及び
もし該トラヒック対パイロット比が該特定範囲の外にあるならば、該第１チャネル推定値又は該第３チャネル推定値を該第４チャネル推定値として供給することを具備する、［Ｃ３４］の方法。
［Ｃ３６］
第１フィルタ応答を有する第１チャネル推定フィルタを用いて第１チャネル推定値を得るための手段、
該第１チャネル推定値を用いて第１信号を復元するための手段、
該第１信号起因の干渉を推定するための手段、
該第１信号起因の干渉を除去するための手段、
該第１フィルタ応答とは異なる第２フィルタ応答を有する第２チャネル推定フィルタを用いて第２チャネル推定値を得るための手段、及び
該第２チャネル推定値を用いて第２信号を復元するための手段、を具備する装置。
［Ｃ３７］
該第１信号を復元した後で該第１信号を再生成するための手段、
該再生成第１信号に基づき且つ該第１フィルタ応答とは異なる第３フィルタ応答を有する第３チャネル推定フィルタを用いて第３チャネル推定値を得るための手段、
該第１チャネル推定値及び該第３チャネル推定値に基づいて第４チャネル推定値を求めるための手段、及び
該第４チャネル推定値を用いて該第１信号起因の該干渉を推定するための手段を更に具備する、［Ｃ３６］の装置。
［Ｃ３８］
該第４チャネル推定値を求めるための該手段は、
もしトラヒック対パイロット比が特定範囲内にあるならば、該第４チャネル推定値を求めるために該第１チャネル推定値と該第３チャネル推定値とを結合するための手段、及び
もし該トラヒック対パイロット比が該特定範囲の外にあるならば、該第１チャネル推定値又は該第３チャネル推定値を該第４チャネル推定値として供給するための手段を具備する、［Ｃ３７］の装置。
【符号の説明】
【００７７】
１1０…基地局、１２０…端末、３３２、３５２…アンテナ、３６０…ＲＸプロセッサ、４１４、４１６、４２４、４２６、４３４、４３６、４４４、４４６…乗算器、４４８…加算器、８２６、８５２…アンテナ、８６０…ＲＸプロセッサ、１０００…選択可能なチャネル推定フィルタを用いる信号復元処理、１１００…異なる複数のチャネル推定値を用いる信号復元処理、１２００…多重信号復元処理。
【図１】
0005442696.tif 000004
【図２】
0005442696.tif 000005
【図３】
0005442696.tif 000006
【図４】
0005442696.tif 000007
【図５】
0005442696.tif 000008
【図６】
0005442696.tif 000009
【図７】
0005442696.tif 000010
【図８】
0005442696.tif 000011
【図９】
0005442696.tif 000012
【図１０】
0005442696.tif 000013
【図１１】
0005442696.tif 000014
【図１２】
0005442696.tif 000015